(57)【要約】【課題】複合板を利用した仕切り壁構造であって、少ない部品数で且つ一層簡単に施工でき、しかも、揺れや振動を生じることがなく、高い寸法精度で施工可能な仕切り壁構造を提供する。【解決手段】仕切り壁構造は、合成樹脂シートの両面に金属シートを積層した複合板で構成され且つ側面部１０が形成された壁面材１と、室内の間仕切り位置に敷設された床側スライダー４ａ及び天井側スライダー４ｂと、これら床側スライダー４ａ及び天井側スライダー４ｂに渡って２本を１組として立設された間柱２，２とを備えている。１組の間柱２，２は、所定の隙間をあけて通しボルト３で連結され、壁面材１の側面部１０には、掛止用の切欠き１３が設けられており、壁面材１は、互いに背面側を対向させて２枚を突き合わせ、かつ、１組の間柱２，２の間の隙間に側面部１０を挿入して切欠き１３を通しボルト３に引掛けて配置される。【選択図】図１
2013204380.tif 000002
【特許請求の範囲】
【請求項１】
室内を仕切る仕切り壁構造であって、合成樹脂シートの両面に金属シートを積層した方形平板状の複合板で構成され且つ当該複合板の平行な２辺部を背面側に略直角に折曲げられて側面部が形成された壁面材と、室内の間仕切り位置に敷設された床側スライダー及び天井側スライダーと、これら床側スライダーと天井側スライダーに渡って２本を１組として立設された間柱とを備え、前記１組の間柱は、所定の隙間をあけて通しボルトで連結され、前記壁面材の側面部には、前記通しボルトに対応する位置に掛止用の切欠きが設けられ、前記壁面材は、互いに背面側を対向させ且つ互いに側面部が当該側面部に直交する方向にずれた状態で２枚を突き合わせ、かつ、前記１組の間柱の間の隙間に側面部を挿入して前記切欠きを前記通しボルトに引掛けて配置されていることを特徴とする仕切り壁構造。
【発明の詳細な説明】
【技術分野】
【０００１】
本発明は、仕切り壁構造に関するものであり、詳しくは、室内を仕切る仕切り壁構造であって、合成樹脂シートの両面に金属シートを積層して成る複合板を利用し、一層迅速に施工できるようにした仕切り壁構造に関するものである。
【背景技術】
【０００２】
合成樹脂シートの両面に金属シートを積層した複合板は、軽量で且つ耐久性に優れており、主に建築材料として普及している。例えば、建物の内壁を施工する場合、上記の複合板を使用して予め工場で部品としての壁パネルに加工することにより、これを建築現場に搬入して比較的短期で施工することができる。
【０００３】
上記のような複合板を使用した内壁の構造としては、方形平板状の複合板の平行な２辺部を背面側に折曲げて側面部が形成された壁面材と、一側面が開口された四角筒状に形成され且つ開口側面を表に向けて垂直に壁下地に固定された間柱と、当該間柱の開口側面の上部および下部に各水平に架設された金属バーとを備え、壁面材の側面部の上部および下部に設けられた掛止用の切欠きを利用して当該壁面材を前記の各金属バーに引掛けて配列すると共に、壁面材の側面部を間柱の開口側面から挿入して当該間柱の背面部内面に突き当てるようにした掛け方式の内壁構造が開示されている。斯かる内壁構造は、部品数が少なく、極めて簡単に且つ短期間で施工できる（特許文献１参照）。
【先行技術文献】
【特許文献】
【０００４】
【特許文献１】特開２０１１−２２６１５１号公報
【発明の概要】
【発明が解決しようとする課題】
【０００５】
ところで、上記のような内壁の構造においては、隣接する壁面材の間の目地を均一に仕上げ且つ各壁面材の表面を面一に平坦に仕上げ、しかも、壁面材の揺れや振動をなくす観点から、壁下地に固定される間柱の建て付け精度が重要であり、間柱の施工に相当の熟練を必要とする。また、室内を仕切る仕切り壁についても、複合板を利用した一層簡便な構造が望まれている。
【０００６】
本発明は、上記の実情に鑑みてなされたものであり、その目的は、複合板を利用した仕切り壁構造であって、少ない部品数で且つ一層簡単に施工でき、しかも、揺れや振動を生じることがなく、高い寸法精度で施工可能な仕切り壁構造を提供することにある。
【課題を解決するための手段】
【０００７】
上記の課題を解決するため、本発明においては、方形平板状の複合板に曲げ加工を施して側面部を形成した剛性の高い壁面材を使用すると共に、２本を１組として、所定の隙間をあけて通しボルトで連結した構造の間柱を立設し、そして、２枚の壁面材を互いに背面側が対向するように突き合わせ、かつ、１組の間柱の間の隙間に壁面材の側面部を挿入して当該側面部の切欠きを通しボルトに引掛けることにより、２枚の壁面材と間柱によって箱状の剛体構造を構成するようにした。これにより、最初の１組目の壁面材と間柱の施工後は、これを基準として、寸法出しを行うことなく、２組目以降を施工し、仕切り壁を構築することができる。
【０００８】
すなわち、本発明の要旨は、室内を仕切る仕切り壁構造であって、合成樹脂シートの両面に金属シートを積層した方形平板状の複合板で構成され且つ当該複合板の平行な２辺部を背面側に略直角に折曲げられて側面部が形成された壁面材と、室内の間仕切り位置に敷設された床側スライダー及び天井側スライダーと、これら床側スライダーと天井側スライダーに渡って２本を１組として立設された間柱とを備え、前記１組の間柱は、所定の隙間をあけて通しボルトで連結され、前記壁面材の側面部には、前記通しボルトに対応する位置に掛止用の切欠きが設けられ、前記壁面材は、互いに背面側を対向させ且つ互いに側面部が当該側面部に直交する方向にずれた状態で２枚を突き合わせ、かつ、前記１組の間柱の間の隙間に側面部を挿入して前記切欠きを前記通しボルトに引掛けて配置されていることを特徴とする仕切り壁構造に存する。
【発明の効果】
【０００９】
本発明に係る仕切り壁構造によれば、複合板から成る壁面材、間柱、通しボルトから主に構成され、２枚の壁面材を突き合わせ且つ側面部に設けられた切欠きを通しボルトに引掛けることにより壁を構築できるため、部品数が少なく、極めて簡単に且つ短期間で施工できる。
【図面の簡単な説明】
【００１０】
【図１】本発明に係る仕切り壁構造の主要な部材および施工方法を示す展開斜視図である。
【図２】本発明に係る仕切り壁構造における間柱の連結構造および壁面材の引掛け構造を示す水平断面図である。
【発明を実施するための形態】
【００１１】
本発明に係る仕切り壁構造の一実施形態を図面に基づいて説明する。本発明の仕切り壁構造は、室内を仕切る仕切り壁の構造であり、図１に示すように、複合板から成る壁面材１、当該壁面材を支持する間柱２、当該間柱および壁面材１の上下端を支持する天井側スライダー４ａ及び床側スライダー４ｂ、ならびに、壁面材１を懸架する通しボルト３から主として構成されている。
【００１２】
壁面材１は、合成樹脂シートの両面に金属シートを積層した方形平板状の複合板で構成される。壁面材１は、平面形状が方形の複合板の平行な２辺部を背面側に略直角に折曲げられることにより、建付け状態において正面形状を四角形、通常は長方形に形成され且つその両側に奥行部分としての側面部１０が形成されている。建付け状態における壁面材１の標準的な寸法は、意匠面となる正面部の高さが１８２０〜３２００ｍｍ、幅が６５０〜１１４０ｍｍ、折曲げられた側面部１０の幅（曲げ代の外形寸法）が４０〜７０ｍｍに設計されている。
【００１３】
壁面材１は、図２に示すように、樹脂シート１ａの両面に金属シート１ｂを積層した複合板からなる。金属シート１ｂ／樹脂シート１ａ／金属シート１ｂの層構成を備えた上記の複合板において、金属シート１ｂとしては、アルミニウム（アルミニウム合金を含む）、ステンレス、鉄、銅、チタン、錫、ニッケル等の金属から成る厚さ約０．１〜１．０ｍｍのシート、通常は厚さ０．２〜０．５ｍｍ程度のアルミニウムシートが使用される。芯材の樹脂シート１ａには、ポリエチレン、ポリプロピレン等のポリオレフィン、ポリ塩化ビニル、ポリアミド、ポリカーボネート、ポリスチレン、ポリヒドロキシルエーテル、酢酸ビニル等の熱可塑性樹脂から成る厚さ０．６〜５．０ｍｍ程度のシートが使用される。
【００１４】
両面の金属シート（アルミニウムシート）１ｂは、エチレン−アクリル酸共重合体、エチレン−酢酸ビニル共重合体、ポリエチレン等の不飽和カルボン酸などの接着剤を使用して樹脂シート１ａに予め十分に密着されている。上記の様な複合板は、溶融押出しされた合成樹脂シートの両面にアルミニウムシートを重ね合わせ、回転ロールの間に通過させて製造される。斯かる複合板としては、例えば、ポリエチレン製芯材シートの両面にアルミニウムシートを積層して成る三菱樹脂社製の「アルポリック」（商品名）が好適である。
【００１５】
壁面材１は、例えば長方形に裁断された上記の複合板を使用し、２つの長辺部と平行に溝切り加工を施した後、溝を起点として曲げ加工を施すことにより、長手方向に直交する断面を図１に示すような扁平なコ字状に形成される。なお、曲げ加工の起点となる上記の溝は、溝切り加工において、背面側のアルミニウムシートとポリエチレンシートの一部を切除することにより、肉薄部分において意匠面側のアルミニウムシートに芯材のポリエチレンシートが僅かに残存する扁平なＵ字溝に構成される。図２中の符号１ｄが曲げ加工を施した後のＵ字溝を示す。なお、壁面材１は、工場において寸法取りされた複合板を上記の溝１ｄに沿って折曲げるだけで施工現場においても容易に作製できる。
【００１６】
室内の間仕切り位置の床および天井には、間柱２および壁面材１の上下端部を支持するため、各々、床側スライダー（枠材）４ａ及び天井側スライダー（枠材）４ｂが敷設される。床側スライダー４ａは、長手方向に直交する断面が樋状の型材、いわゆるＣ型鋼で構成される。床側スライダー４ａの立上り部分の高さ（溝の深さ）は４０ｍｍ程度に設計され、壁の厚さに略相当する床側スライダー４ａの幅は４１〜１０２ｍｍ程度に設計される。床側スライダー４ａは、構築する壁の長さに準じた長さで床に設置される。また、天井側スライダー４ｂは、上記の床側スライダー４ａと同様の部材であり、開口部分を下方に向けて床側スライダー４ａと平行かつ並列に天井に配置される。
【００１７】
図１に示すように、間柱２は、上記の壁面材１を受けるための支持部材であり、一側面が開口された四角筒状に形成されている。すなわち、長手方向に直交する断面が略コ字状に形成されたいわゆるリップ溝形鋼で構成されている。間柱２の長手方向に直交する断面の一辺の長さは３０〜５０ｍｍ程度、間柱２の長さ（建付け状態における高さ）は１９００〜４０００ｍｍ程度である。
【００１８】
間柱２は、床側スライダーと天井側スライダーに渡って２本を１組として立設され、図２に示すように、１組の間柱２，２は、開口側面（長さ方向に沿って開口する側面）を互いに反対側に向けて配置される。また、間柱２の開口側面に平行な側面には、後述する通しボルト３を装着するためのボルト穴が開口されている。斯かるボルト穴は、間柱２の長手方向の両端部からそれぞれ１００〜９５０ｍｍ程度離間した２個所に設けられる。なお、間柱２，２の組は、通常、６５０〜１１４０ｍｍ程度の配列ピッチで配置される。
【００１９】
図２に示すように、１組の間柱は、上記のように開口側面を互いに反対側に向けて且つ所定の隙間をあけて通しボルト３で連結される。通しボルト３は、壁面材１を引掛けるための壁面材吊下げ用の部材であり、斯かる通しボルト３としては、ねじ山径９ｍｍ、長さ６５〜１００ｍｍ程度の寸切りボルト（長ねじ）が使用される。１組の間柱２，２は、各々、これら間柱の側面のボルト穴に挿通された共通の通しボルト３の各端部側にナット５ａ，５ｂで固定される。そして、１つの通しボルト３で左右２組の壁面材１を吊持するため、１組の間柱２，２の間には、壁面材１の側面部１０を４枚重畳させた厚さに２つのナット５の長さを加えた大きさ相当する距離の隙間が設けられる。
【００２０】
また、図１に示すように、上記の間柱２，２に挿通される上部および下部の通しボルト３に壁面材１を懸架するため、壁面材１の側面部１０には、上記の通しボルト３に対応する位置（間柱２のボルト穴に対応する位置）に掛止用の２つの切欠き１３が設けられる。通常、斯かる切欠き１３は、工場で複合板を平板状に成形する際、側面部１０に相当する部位に予め打ち抜き加工によって設けられる。切欠き１３は、建て付けた状態において側面部１０を正面視した場合、当該側面部の長手方向に沿った開放端縁から水平に側面部１０の幅の略中央部に達する位置まで直線状に伸長され且つその奥隅部が上方に屈曲した形状を備えている。切欠き１３の開口幅は、通しボルト３が相対的に緩く通過し得る程度の大きさに設定されている。
【００２１】
なお、図示しないが、本発明においては、壁面材１の微小な揺れや振動を防止するため、通しボルト３の１組の間柱２，２の隙間に相当する部位には、弾性変形可能な滑り止めが取り付けられていてもよい。斯かる滑り止めは、アクリルゴム、ニトリルゴム、イソプレンゴム、ウレタンゴム、エチレンプロピレンゴムゴム、シリコンゴム、スチレンブタジエンゴム等のゴム製の円筒状成形体で構成され且つその中心線に沿って装着用の一条の切断部を設けてなり、通しボルト３を架設した際に巻回される。
【００２２】
本発明の仕切り壁構造においては、床側スライダー４及び天井側スライダー４ｂの間に壁面材１を差し込むだけで施工できるように、壁面材１の高さは、床から天井までの高さよりも幾分低く設計されており、そして、図２に示すように、壁面材１は、互いに背面側を対向させ且つ互いに側面部１０が当該側面部に直交する方向にずれた状態で２枚を突き合わせ、かつ、１組の間柱２，２の間の隙間に側面部１０，１０を挿入して上記の切欠き１３を通しボルト３に引掛けて配置される。
【００２３】
本発明の仕切り壁構造の施工方法は次の通りである。仕切り壁を構築するに当たり、先ず、壁面材１を準備する。壁面材１は、所定寸法に型取りされ且つ溝切り加工された平板（複合板）として施工現場に搬入する。平板で搬入することにより、効率的に且つ容易に運搬でき、また、取り扱うことができる。そして、現場においては、上記の溝に沿って平板の２辺部を折曲げ、側面部１０を有する壁面材１として構成する。
【００２４】
次いで、１枚目の壁面材１を支持するための最初の間柱２（図２において右側の間柱）を床側スライダー４ａと天井側スライダー４ｂで挟み込むようにして立てる。斯かる間柱２は、適当な位置に床側スライダー４ａと天井側スライダー４ｂとで仮止めする。そして、間柱２の上下のボルト穴にそれぞれ通しボルト３を挿通し、当該通しボルトの一端側にナット５ａ、５ｂ（図２において右側のナット５）を螺着して間柱２に固定する。
【００２５】
続いて、１枚目の壁面材１（図２において右下側の壁面材）を床側スライダー４ａと天井側スライダー４ｂに差し込むようにして建て込むと共に、側面部１０の切欠き１３に上記の通しボルト３に相対的に挿通し、斯かる通しボルト３に壁面材１の側面部１０を引掛ける。そして、１枚の壁面材１の側面部１０に内面に沿わせる状態に最初の間柱２の位置を調節する。最初の間柱２の位置を調節した後は、当該間柱および１枚の壁面材１の位置を固定するため、図１に示すように、１枚の壁面材１の上下端部をねじ８で床側スライダー４ａ、天井側スライダー４ｂに固定してもよい。
【００２６】
更に、上記の２つの通しボルト３の他端側にナット５ｂ（図２における左側のナット）を螺着する。斯かるナット５ｂの取付け位置は、最初の間柱２を固定しているナット５ｂ（図２における右側のナット）から壁面材１の側面部１０を４枚重畳させた厚さに相当する距離だけ離間させた位置に調節する。次いで、２本目の間柱２（図２における左側の間柱）を立て、そのボルト穴を利用して上記のナット５ｂにあてがうようにして通しボルト３に取り付け、ナット５ａ（図２における左側のナット）で固定する。
【００２７】
２本目の間柱２を立てた後は、２枚目の壁面材１（図２において右上側の壁面材）を床側スライダー４ａと天井側スライダー４ｂに建て込み且つ上記の通しボルト３を側面部１０の切欠き１３に相対的に挿通し、側面部１０を通しボルト３に引掛ける。また、同様にして、３本目の間柱２を立ててこれに通しボルト３を取り付けた後、３枚目の壁面材１（図２において左下側の壁面材）を建て込んで３本目の間柱２の位置調節を行った後、４枚目の壁面材１（図２において左上側の壁面材）を建て込む。以降、１枚目の壁面材１を基準にして、同様の作業を繰り返すことにより、仕切り壁を構築することができる。
【００２８】
上記のように、本発明においては、方形平板状の複合板に曲げ加工を施して側面部１０を形成した剛性の高い壁面材１を使用すると共に、２本を１組として、所定の隙間をあけて通しボルト３で連結した構造の間柱２，２を立設し、そして、２枚の壁面材１を互いに背面側が対向するように突き合わせ、かつ、１組の間柱２，２の間の隙間に壁面材１の側面部１０を挿入して当該側面部の切欠き１３を通しボルト３に引掛けることにより、２枚の壁面材１と間柱２，２によって箱状の剛体構造を構成する。これにより、最初の１組目の壁面材１，１と間柱２，２の施工後は、これを基準として、寸法出しを行うことなく、２組目以降を高い精度で建て付けることができる。
【００２９】
すなわち、本発明の仕切り壁構造は、複合板から成る壁面材１、間柱２、通しボルト３から主に構成されており、２枚の壁面材１を突き合わせ且つ側面部１０に設けられた切欠き１３を通しボルト３に引掛けることにより壁を構築できるため、部品数が少なく、極めて簡単に且つ短期間で施工できる。また、突き合わせた１組の壁面材１，１と間柱２，２によって構成された箱状の剛体構造により、壁面材１における揺れや振動の発生を防止できる。
【符号の説明】
【００３０】
１  ：壁面材
１ａ：樹脂シート
１ｂ：金属シート
１０：側面部
１３：切欠き
２  ：間柱
３  ：通しボルト
４ａ：床側スライダー（枠材）
４ｂ：天井側スライダー（枠材）
５  ：ナット
６  ：バックアップ材
７  ：目地材
８  ：ねじ
【図１】
2013204380.tif 000003
【図２】
2013204380.tif 000004